(57)【特許請求の範囲】
【請求項１】
少なくとも第１の機能を実行する第１の状態と第２の機能を実行する第２の状態とを有する第１の機器と、該第１の機器を無線通信により操作する第２の機器とを備えた無線操作システムであって、
前記第１の機器は、
前記第１の状態であることを示す第１状態信号、又は、前記第２の状態であることを示す第２状態信号、を前記第２の機器に送信する第１送信手段と、
前記第２の機器により送信され、前記第１の状態を操作するための第１操作信号と、前記第２の状態を操作するための、前記第１操作信号とは異なる第２操作信号とを、受信する第１受信手段と、を有しており、
前記第２の機器は、
この第２の機器への入力操作を行う操作手段と、
前記第１操作信号又は前記第２操作信号を前記第１の機器に送信する第２送信手段と、
前記第１の機器が送信する前記第１状態信号及び前記第２状態信号を受信する第２受信手段と、
前記第２受信手段が、前記第１状態信号を受信した場合には、前記操作手段の入力操作に基づいて前記第２送信手段から前記第１操作信号を送信するように制御し、前記第２状態信号を受信した場合には、前記操作手段の入力操作に基づいて前記第２送信手段から前記第２操作信号を送信するように制御する制御手段と、を有し、
前記第２の機器は、第３の機能を実行する第３の状態を有しており、
前記第１の状態又は前記第２の状態は、前記第１の機器が具備するスピーカからアラーム音を出力するアラーム状態であり、
前記第１の機器は、前記アラーム状態に切替わる際に、前記第２の機器に対して、前記第１状態信号又は前記第２状態信号として、前記アラーム状態であることを知らせるアラーム状態信号を送信し、
前記第２の機器から前記第１の機器に対して送信される前記第１操作信号又は前記第２操作信号は、前記第１の機器の前記アラーム状態のアラーム音をミュートするためのミュート信号であり、
前記第１の機器は、前記アラーム状態で前記ミュート信号を受信すると、前記アラーム状態を終了した後、アラーム状態終了信号を前記第１の機器に対して送信し、
前記第２の機器は、前記アラーム状態終了信号を受信すると、前記第２の機器の前記操作手段の入力操作に基づいて、前記第３の状態を制御する、
ことを特徴とする無線操作システム。
【請求項２】
少なくとも第１の機能を実行する第１の状態と、第２の機能を実行する第２の状態とを有する第１の機器と、該第１の機器を無線通信により操作する第２の機器とを備えた無線操作システムであって、
前記第１の機器は、
前記第１の状態であることを示す第１状態信号、又は、前記第２の状態であることを示す第２状態信号、を前記第２の機器に送信する第１送信手段と、
前記第２の機器が送信する、前記第１の状態を操作する第１操作信号と、前記第２の状態を操作する第２操作信号と、を受信する第１受信手段と、を有しており、
前記第２の機器は、
この第２の機器への入力操作を行う操作手段と、
前記第１操作信号又は前記第２操作信号を前記第１の機器に送信する第２送信手段と、
前記第１の機器が送信する前記第１状態信号及び前記第２状態信号を受信する第２受信手段と、
表示手段と、
前記第１の機器の操作を行うための操作情報を前記表示手段に表示する制御手段と、を有しており、
前記制御手段は、前記第２受信手段が前記第１状態信号を受信した場合には、前記操作情報として、前記第１操作信号を送信するための前記第１の機器における前記第１の状態の操作情報のみを前記表示手段に表示し、前記第２受信手段が前記第２状態信号を受信した場合には、前記操作情報として、前記第２操作信号を送信するための前記第１の機器における前記第２の状態の操作情報のみを前記表示手段に表示し、
前記第２の機器は、第３の機能を実行する第３の状態を有しており、
前記第１の状態又は前記第２の状態は、前記第１の機器が具備するスピーカからアラーム音を出力するアラーム状態であり、
前記第１の機器は、前記アラーム状態に切替わる際に、前記第２の機器に対して、前記第１状態信号又は前記第２状態信号として、前記アラーム状態であることを知らせるアラーム状態信号を送信し、
前記第２の機器から前記第１の機器に対して送信される前記第１操作信号又は前記第２操作信号は、前記第１の機器の前記アラーム状態のアラーム音をミュートするためのミュート信号であり、
前記第１の機器は、前記アラーム状態で前記ミュート信号を受信すると、前記アラーム状態を終了した後、アラーム状態終了信号を前記第１の機器に対して送信し、
前記第２の機器は、前記アラーム状態終了信号を受信すると、前記第２の機器の前記操作手段の入力操作に基づいて、前記第３の状態を制御する、
ことを特徴とする無線操作システム。
【請求項３】
前記第１の機器は携帯電話である請求項１又は２に記載の無線操作システム。
【請求項４】
前記操作手段は、操作入力を行う複数の操作入力部を有しており、
前記制御手段は、複数の前記操作入力部のうちの何れか１つの入力操作に基づいて、前記第１操作信号又は前記第２操作信号を、前記第２送信手段から前記第２の機器に送信する請求項１から３の何れか一項に記載の無線操作システム。
【請求項５】
前記第１の機器及び前記第２の機器それぞれは、互いに無線通信が可能な状況であることを確認する通信確認信号を送受信し、
前記制御手段は、前記第１の機器からの前記通信確認信号を受信しない場合、前記第２送信手段から送信を停止する請求項１から４の何れか一項に記載の無線操作システム。
【請求項６】
前記制御手段は、前記第１の機器からの前記通信確認信号を受信しない場合、前記操作手段の入力操作に基づいて、前記第３の状態を制御する請求項５に記載の無線操作システム。
【請求項７】
前記第１操作信号は前記第１の機器における前記第１の状態のみを操作可能であり、前記第２操作信号は前記第１の機器における前記第２の状態のみを操作可能である請求項１から６の何れか一項に記載の無線操作システム。
【請求項８】
前記第１の機器は、
前記第１の状態及び前記第２の状態を含めて、複数の機能を実行する複数の状態を有しており、
前記第２の機器は、
前記制御手段が、前記第１の機器における全ての前記複数の状態それぞれに対応して、無線通信により操作可能な操作を実行する操作信号を前記第２送信手段から送信するように制御する請求項１から７の何れか一項に記載の無線操作システム。
【発明の詳細な説明】
【技術分野】
【０００１】
本発明は、無線操作システム及び携帯型電子機器に関する。
【背景技術】
【０００２】
従来、携帯電話を身体から離れた状態で携行する場合に、無線通信により携帯電話への着信を知ることができる腕時計形態の携帯型電子機器が知られている。
【０００３】
例えば、特許文献１には、携帯電話を身体から離れた状態で携行する場合で、且つ着信音が聞こえないあるいは着信音を出せない場合であっても、携帯電話への着信を知ることができる腕時計形態の携帯電話補助装置が提案されている。
【０００４】
この携帯電話補助装置は、携帯電話への着信があった場合、携帯電話を取り出し表示をみることなしに即座に発信者番号等の着信情報を知ることができる。
【０００５】
また、この携帯電話補助装置は、携帯電話への着信があった場合、操作ボタンの操作に基づいて、携帯電話に予め録音しておいた数種類のメッセージの中から適切なものを指定する指令を携帯電話に送信することができる。そして、この指令を受信した携帯電話は、発信者に指定されたメッセージを送信する。
【０００６】
【特許文献１】特開２００２−３３５５６７号公報
【発明の開示】
【発明が解決しようとする課題】
【０００７】
近年、携帯電話は、通話又はメールの送受信といった機能の他に、所定の時刻を通知するアラーム機能、カメラ機能等を有している。このように、携帯電話が多機能を実行できることに対応して、上述した腕時計形態の携帯型電子機器も、携帯電話が有する機能それぞれを操作できることが求められている。
【０００８】
しかし、上記特許文献１に記載の携帯電話補助装置は、着信した通話への応答しか操作出来ない。
【０００９】
また、腕時計形態の携帯型電子機器は、通常、複数の操作ボタンを有しており、この操作ボタンを操作して、携帯電話の機能を無線通信により操作する。しかし、腕時計形態の携帯型電子機器の寸法上の制限により、該機器に設けられる操作ボタンの数には限りがある。また、操作ボタンの数を単に増加すると、ボタンそれぞれの寸法が小さくなるので、操作性が悪くなるという問題点がある。
【００１０】
そこで、本発明は、上述した問題点を解決する無線操作システム及び携帯型電子機器を提供することを目的とする。
【課題を解決するための手段】
【００１１】
上記目的を達成するために、第１の発明に係る無線操作システムは、少なくとも第１の機能を実行する第１の状態と第２の機能を実行する第２の状態とを有する第１の機器と、該第１の機器を無線通信により操作する第２の機器とを備えており、上記第１の機器は、上記第１の状態であることを示す第１状態信号、又は、上記第２の状態であることを示す第２状態信号、を上記第２の機器に送信する第１送信手段と、上記第２の機器により送信され、上記第１の状態を操作するための第１操作信号と、上記第２の状態を操作するための、上記第１操作信号とは異なる第２操作信号とを、受信する第１受信手段と、を有しており、上記第２の機器は、この第２の機器への入力操作を行う操作手段と、上記第１操作信号又は上記第２操作信号を上記第１の機器に送信する第２送信手段と、上記第１の機器が送信する上記第１状態信号及び上記第２状態信号を受信する第２受信手段と、上記第２受信手段が、上記第１状態信号を受信した場合には、上記操作手段の入力操作に基づいて上記第２送信手段から上記第１操作信号を送信するように制御し、上記第２状態信号を受信した場合には、上記操作手段の入力操作に基づいて上記第２送信手段から上記第２操作信号を送信するように制御する制御手段と、を有していることを特徴とする。ここで、上記第１の機器は、例えば携帯電話であり、上記第２の機器は、例えば腕時計形態の携帯型電子機器である。
【００１２】
また、上記目的を達成するために、第２の発明に係る無線操作システムは、少なくとも第１の機能を実行する第１の状態と、第２の機能を実行する第２の状態とを有する第１の機器と、該第１の機器を無線通信により操作する第２の機器とを備えており、上記第１の機器は、上記第１の状態であることを示す第１状態信号、又は、上記第２の状態であることを示す第２状態信号、を上記第２の機器に送信する第１送信手段と、上記第２の機器が送信する、上記第１の状態を操作する第１操作信号と、上記第２の状態を操作する第２操作信号と、を受信する第１受信手段と、を有しており、上記第２の機器は、この第２の機器への入力操作を行う操作手段と、上記第１操作信号又は上記第２操作信号を上記第１の機器に送信する第２送信手段と、上記第１の機器が送信する上記第１状態信号及び上記第２状態信号を受信する第２受信手段と、表示手段と、上記第１の機器の操作を行うための操作情報を上記表示手段に表示する制御手段と、を有しており、上記制御手段は、上記第２受信手段が上記第１状態信号を受信した場合には、上記操作情報として、上記第１操作信号を送信するための上記第１の機器における上記第１の状態の操作情報のみを上記表示手段に表示し、上記第２受信手段が上記第２状態信号を受信した場合には、上記操作情報として、上記第２操作信号を送信するための上記第１の機器における上記第２の状態の操作情報のみを上記表示手段に表示することを特徴とする。ここで、上記第１の機器は、例えば携帯電話であり、上記第２の機器は、例えば腕時計形態の携帯型電子機器である。
【００１３】
また、上記目的を達成するために、第３の発明に係る携帯型電子機器は、複数の機能を実行する複数の状態を有する電子機器を無線通信により操作する携帯型電子機器であって、操作手段と、上記電子機器の上記複数の状態それぞれに対応して異なる、上記電子機器を操作する操作信号を、上記電子機器に送信する送信手段と、上記電子機器の上記複数の状態それぞれを示す状態信号を受信する受信手段と、上記操作手段の入力操作に基づいて、上記電子機器の上記複数の状態それぞれに対応する上記操作信号を上記送信手段から送信するように制御する制御手段と、を有していることを特徴とする。ここで、上記電子機器は、例えば携帯電話であり、上記携帯型電子機器は、例えば腕時計形態の携帯型電子機器である。
【００１４】
更に、上記目的を達成するために、第４の発明に係る携帯型電子機器は、複数の機能を実行する複数の状態を有する電子機器を無線通信により操作する携帯型電子機器であって、操作手段と、上記電子機器を操作する操作信号を、上記電子機器に送信する送信手段と、上記電子機器の上記複数の状態を示す状態信号を受信する受信手段と、表示手段と、上記第１の機器の操作を行うための操作情報を上記表示手段に表示する制御手段と、を有しており、上記制御手段は、受信した状態信号に基づいて、上記操作情報として、上記電子機器の上記複数の状態それぞれに対応した操作情報のみを上記表示手段に表示することを特徴とする。ここで、上記電子機器は、例えば携帯電話であり、上記携帯型電子機器は、例えば腕時計形態の携帯型電子機器である。
【発明の効果】
【００１５】
上述した無線操作システムによれば、上記第２の機器は、操作性良く、上記第１の機器の複数の状態それぞれを操作できる。
【００１６】
また、上述した携帯型電子機器によれば、操作性良く、上記電子機器の複数の状態それぞれを操作できる。
【発明を実施するための最良の形態】
【００１７】
以下、本発明に係る無線操作システムの好ましい一実施形態を、図面を参照して説明する。図１は、本発明に係る無線操作システムの一実施形態の構成図である。図２は、図１に示す実施形態における各構成要素のブロック図である。
【００１８】
本実施形態の無線操作システム３０は、図１に示すように、少なくとも第１の機能を実行する第１の状態と第２の機能を実行する第２の状態とを有する第１の機器としての携帯電話１０と、該携帯電話１０を無線通信により操作する第２の機器としての携帯型電子機器２０とを備えている。
【００１９】
携帯電話１０は、図２に示すように、第１の状態であることを示す第１状態信号、又は、第２の状態であることを示す第２状態信号、を携帯型電子機器２０に送信する第１送信手段１２ａと、携帯型電子機器２０により送信され、第１の状態にある携帯電話１０を操作するための第１操作信号と、第２の状態にある携帯電話１０を操作するための、上記第１操作信号とは異なる第２操作信号とを、受信する第１受信手段１２ｂと、第１の状態又は第２の状態の開始、実行又は終了を制御する状態制御手段としての第１制御手段１１と、を有している。第１制御手段１１は、また、第１送信手段１２ａ及び第１受信手段１２ｂを制御する。
【００２０】
携帯型電子機器２０は、図２に示すように、この携帯型電子機器２０への入力操作を行う操作手段２３と、上記第１操作信号又は第２操作信号を携帯電話１０に送信する第２送信手段２２ａと、携帯電話１０が送信する上記第１状態信号及び第２状態信号を受信する第２受信手段２２ｂと、表示手段２４と、これらを制御する第２制御手段２１と、を有している。
【００２１】
また、第２制御手段２１は、携帯電話１０の操作を行うための操作情報を表示手段２４に表示する。第２制御手段２１は、第２受信手段２２ｂが上記第１状態信号を受信した場合には、操作情報として、第１操作信号を送信するための携帯電話１０における第１の状態の操作情報のみを表示手段２４に表示し、第２受信手段２２ｂが上記第２状態信号を受信した場合には、操作情報として、第２操作信号を送信するための携帯電話１０における第２の状態の操作情報のみを表示手段２４に表示する。
【００２２】
更に、第２制御手段２１は、第２受信手段２２ｂが第１状態信号を受信した場合には、操作手段２３の入力操作に基づいて第２送信手段２２ａから第１操作信号を送信するように制御し、第２受信手段２２ｂが第２状態信号を受信した場合には、操作手段２３の入力操作に基づいて第２送信手段２２ａから第２操作信号を送信するように制御する。
【００２３】
本実施形態の携帯電話１０について、更に以下に説明する。
【００２４】
携帯電話１０の上記第１の状態は、例えば、無線通信により通話する通話機能を実行する通話状態であり、上記第２の状態は、例えば、所定の時刻を通知するアラーム機能を実行するアラーム状態である。携帯電話１０は、上記第１の状態及び第２の状態を含めて、２以上の複数の機能を実行する複数の状態を有していることが好ましい。例えば、携帯電話１０は、また画像を撮影するカメラ機能を実行するカメラ状態を有している。
【００２５】
本実施形態の携帯型電子機器２０について、更に以下に説明する。
【００２６】
携帯型電子機器２０は、図１に示すように、ユーザの腕に装着可能な腕時計形態に構成されている。操作手段２３は、図１に示すように、操作ボタン２３ａ、２３ｂ、２３ｃ、２３ｄ及び２３ｅにより構成される。
【００２７】
携帯型電子機器２０は、携帯電話１０の操作を行うための操作情報として、携帯電話１０の複数の状態それぞれに対応した上記操作信号を送信するための携帯電話１０の状態の操作情報のみを表示手段２４に表示する。ユーザは、携帯電話１０の状態に対応して表示手段２４に表示された操作情報を参照し、操作手段２３を用いて、入力操作を携帯型電子機器２０に入力する。携帯型電子機器２０は、操作手段２３の入力操作に基づいて、携帯電話１０の複数の状態それぞれに対応する上記操作信号を第２送信手段２２ａから携帯電話１０に送信する。このようにして、携帯型電子機器２０は、無線通信により、携帯電話１０の複数の状態それぞれを遠隔操作する。
【００２８】
具体的には、携帯型電子機器２０は、第２制御手段２１が、携帯電話１０における全ての上記複数の状態それぞれに対応して、無線通信により操作可能な操作を実行する操作信号を第２送信手段２２ａから送信するように制御する。
【００２９】
また、携帯型電子機器２０は、携帯電話１０の操作とは別の機能を実行する状態として、腕時計が具備する機能を実行する時刻表示状態を有している。この時刻表示状態では、例えば日付、時刻等を表示する時刻表示機能やアラーム機能を実行する。
【００３０】
以下、上述した本実施形態の無線操作システム３０の一実施例（以下、本実施例ともいう）を、図面を参照しながら説明する。図３は、図１及び２に示す無線操作システム３０の実施例を示すブロック図である。
【００３１】
本実施例の無線操作システム３０は、図３に示すように、携帯電話１０と、腕時計形態の携帯型電子機器２０とにより構成される。
【００３２】
まず、本実施例の携帯電話１０について、以下に説明する。
【００３３】
携帯電話１０は、第１アンテナ１２ｃ及び第１無線部１２を有しており、第１アンテナ１２ｃを介して、携帯型電子機器２０との間で短距離無線通信を行えるように構成されている。第１無線部１２は、上記第１送信手段としての第１送信部１２ａと、上記第１受信手段としての第１受信部１２ｂ等とにより構成される。上記短距離無線通信としては、Bluetooth（登録商標）方式、スペクトラム拡散方式による微弱電波や、ＩｒＤＡ仕様に基いた赤外線方式を用いることができる。本実施例では、短距離無線通信として、Bluetooth（登録商標）方式を用いている。
【００３４】
また、携帯電話１０は、ＣＰＵ等を含んで構成される上記第１制御手段としての第１制御部１１、ＲＡＭ１５ａ、ＲＯＭ１５ｂ、マイク１６ａ、操作ボタン等を含んで構成される操作部１３、液晶ディスプレイ等を含んで構成される表示部１４及びスピーカ１６ｂ等を有している。
【００３５】
第１制御部１１は、ＲＯＭ１５ｂに予め記憶されているプログラムに従い、携帯電話１０の各要素の制御及び各種処理を行い、処理中に生じるデータを一時的に保存するためにＲＡＭ１５ａを利用する。
【００３６】
また、携帯電話１０は、第３アンテナ１９ａ及び第３無線部１９を有しており、第３アンテナ１９ａを介して、インターネット、公衆回線網、携帯電話交換網及び携帯電話交換網の基地局を通じて、他の携帯電話及び固定電話との間で通話を行え且つメールサーバとの間で電子メールの交換を行えるように構成されている。
【００３７】
更に、携帯電話１０は、画像を撮影するためのカメラ部１７を有している。カメラ部１７は、図示しないが、光学レンズと、該レンズを介して取り込んだ画像をデジタル情報に変換する画像化部とを備えている。デジタル情報に変換された画像データは、ＲＡＭ１５ａ、又はＲＯＭ１５ｂに記憶される。また、携帯電話１０は、日時及び時刻表示のための表示データを作成する計時部１８を有している。計時部１８は、所定の時刻等を通知するためのアラーム機能を有している。この所定の時刻等には、ある時刻、又は、所定の時間値が経過したことをアラーム通知するためのタイマー設定値等が含まれる。
【００３８】
上述した携帯電話１０は、通話のために他の携帯電話等から呼出の着信を受けた場合に着信機能を実行する着信状態と、着信を受けた後通話機能を実行する通話状態と、着信を受けた後一時的に通話の保留機能を実行する保留状態とを有している。また、携帯電話１０は、カメラ機能により画像の撮影機能を実行するカメラ状態と、所定の時刻等を通知するアラーム機能を実行するアラーム状態とを有している。
【００３９】
第１制御部１１は、上述した着信状態、通話状態、保留状態、カメラ状態又はアラーム状態それぞれの開始、実行又は終了を制御する。また、第１制御部１１は、上記状態それぞれを開始した場合、着信状態であることを示す着信状態信号、通話状態であることを示す通話状態信号、保留状態であることを示す保留状態信号、カメラ状態であることを示すカメラ状態信号又はアラーム状態であることを示すアラーム状態信号を、第１送信部１２ａから携帯型電子機器２０に送信する。
【００４０】
また、第１制御部１１は、携帯型電子機器２０により送信され、携帯電話１０の上記状態それぞれを操作する操作信号、例えば着信操作信号、通話操作信号、保留操作信号、カメラ操作信号又はアラーム操作信号を、第１受信部１２ｂにより受信する。
【００４１】
第１制御部１１は、携帯型電子機器２０からの上記操作信号を受信すると、操作信号に応じて携帯電話１０の各要素の制御及び／又は処理を行う。
【００４２】
更に、第１制御部１１は、携帯電話１０の上記状態それぞれを終了した場合、それぞれの状態終了信号を、例えば通話状態終了信号、保留状態終了信号、カメラ状態終了信号及びアラーム状態終了信号を、第１送信部１２ａから携帯型電子機器２０に送信する。
【００４３】
次に、本実施例の携帯型電子機器２０について以下に説明する。
【００４４】
携帯型電子機器２０は、図３に示すように、第２アンテナ２２ｃ及び第２無線部２２を有しており、第２アンテナ２２ｃを介して、携帯電話１０との間で短距離無線通信を行えるように構成されている。第２無線部２２は、上記第２送信手段としての第２送信部２２ａと、上記第２受信手段としての第２受信部２２ｂ等とにより構成される。本実施例では、上記短距離無線通信としてBluetooth（登録商標）方式を用いている。
【００４５】
ここで、携帯電話１０から状態信号を受信する場合には、第２受信部２２ｂは、第２アンテナ２２ｃより受信した変調波に周波数変換処理等を施して受信変調波を作成し、該受信変調波から更に復調処理した状態信号を作成して、復調した状態信号を第２制御部２１に出力する。携帯電話１０へ操作信号を送信する場合には、第２送信部２２ａは、第２制御部２１から入力された操作信号に変調処理を施して送信変調波を作成し、該送信変調波を無線周波数に変換して第２アンテナ２２ｃから送信する。
【００４６】
また、携帯型電子機器２０は、図３に示すように、ＣＰＵ等を含んで構成される上記第２制御手段としての第２制御部２１、ＲＡＭ２６、ＲＯＭ２７、バイブレータを含んで構成される振動発生部２８、携帯電話１０の複数の状態それぞれを操作するための入力操作を行う操作ボタンを含んで構成される上記操作手段としての操作部２３、携帯電話１０の複数の状態それぞれの操作情報を表示するための液晶ディスプレイ等を含んで構成される上記表示手段としての表示部２４、アラーム音等を出力するためのスピーカ２５、日時及び時刻表示のための表示データを作成する計時部２９等を有している。また、携帯型電子機器２０が時刻表示状態の場合には、表示部２４は、日時及び時刻表示、操作情報の表示等のために使用され、操作部２３は、各種の設定等を行うメニュー表示、日時及び時刻調整用に使用される。
【００４７】
第２制御部２１は、ＲＯＭ２７に予め記憶されているプログラムに従い、携帯型電子機器２０の各要素の制御及び各種処理を行い、処理中に生じるデータを一時的に保存するためにＲＡＭ２６を利用する。また、ＲＯＭ２７には、携帯電話１０の複数の状態それぞれを操作するための操作情報が記憶されている。
【００４８】
操作部２３は、図１に示すように、携帯型電子機器２０への操作入力を行う操作入力部として５つの操作ボタン２３ａ、２３ｂ、２３ｃ、２３ｅ及び２３ｄを有している。第２制御部２１は、上記操作ボタンのうちの何れか１つがの入力操作に基づいて、携帯電話１０の複数の状態それぞれを操作する操作信号を、例えば着信操作信号、通話操作信号、保留操作信号、カメラ操作信号又はアラーム操作信号を、第２送信部２２ａから携帯電話１０に送信する。携帯電話１０の状態が異なれば、携帯型電子機器２０の同じ操作ボタンが押されても、携帯電話１０の状態に対応して、異なる操作信号が携帯型電子機器２０から携帯電話１０に送信される。
【００４９】
第２制御部２１は、携帯電話１０が送信する上記状態信号を、例えば着信状態信号、通話状態信号、保留状態信号、カメラ状態信号又はアラーム状態信号を、第２受信部２２ｂにより受信する。
【００５０】
第２制御部２１は、第２受信部２２ｂにより受信した携帯電話１０の上記状態信号に基づいて、携帯電話１０の操作を行うための操作情報として、携帯電話１０の複数の状態それぞれに対応した操作情報のみを表示部２４に表示する。表示部２４には、携帯電話１０の一つの状態において無線通信により操作可能な操作情報のみが表示されており、携帯電話１０の他の状態における操作情報は表示されない。
【００５１】
ユーザは、携帯電話１０の状態に対応して表示部２４に表示された操作情報を参照し、操作部２３を用いて、入力操作を携帯型電子機器２０に入力する。第２制御部２１は、操作部２３の入力操作に基づいて、携帯電話１０の複数の状態それぞれに対応する操作信号を、例えば着信操作信号、通話操作信号、保留操作信号、カメラ操作信号又はアラーム操作信号を、第２送信部２２ａから送信する。
【００５２】
上記操作信号それぞれは、携帯電話１０における対応する状態のみを操作可能であり、携帯電話１０の対応しない状態は操作できない。
【００５３】
また、第２制御部２１は、携帯電話１０が送信した上記状態終了信号それぞれを第２受信部２２ｂにより受信した場合、操作部２３の入力操作に基づいて、上記時刻表示状態における携帯型電子機器２０を制御する。時刻表示状態では、第２制御部２１は、現在の時刻及び日付等と共に、時刻表示状態における携帯型電子機器２０を操作可能な操作情報のみを表示部２４に表示する。
【００５４】
このように、携帯型電子機器２０は、携帯電話１０が有する全ての複数の状態それぞれに対応する操作情報を表示部２４に表示し、全ての上記状態それぞれにおける携帯電話１０を操作する操作信号を無線通信により携帯電話１０に送信して、携帯電話１０の状態それぞれを遠隔操作する。
【００５５】
上述した携帯電話１０及び携帯型電子機器２０それぞれは、互いに無線通信が可能な状況であることを確認する通信確認信号を繰り返し送受信する。この通信確認信号を送受信することにより、携帯電話１０と携帯型電子機器２０との間の通信接続が確立、維持される。
【００５６】
一方、携帯型電子機器２０の第２制御手段２１は、携帯電話１０からの通信確認信号を受信しない場合、第２送信手段２２ａからの送信を停止して消費電力を低減する。同様に、携帯電話１０の第１制御手段１１も、携帯型電子機器２０からの通信確認信号を受信しない場合、第１送信手段１２ａからの送信を停止して消費電力を低減する。また、通信確認信号を受信しない場合、携帯電話１０及び携帯型電子機器２０それぞれの表示部には、通信が非接続中である旨が表示される。
【００５７】
また、第２制御部２１は、携帯電話１０からの上記通信確認信号を受信しない場合、操作部２３の入力操作に基づいて、時刻表示状態における携帯型電子機器２０を制御する。
【００５８】
上述した本実施例の無線操作システム３０の動作の一例を、図４に示すシーケンス図を参照して、以下に説明する。図４には、携帯電話１０に着信があり、ユーザが携帯型電子機器２０を用いて、携帯電話１０による通話を開始する例が示されている。
【００５９】
携帯電話１０は、例えば、待ち受け状態でユーザの鞄等にしまわれており、携帯型電子機器２０がユーザの腕に装着されているものとする。携帯電話１０に着信があった場合、ユーザは、携帯型電子機器２０を用いて、携帯電話１０を取り出すことなく遠隔操作できる。この状況は、以下に示す各動作例において共通する。
【００６０】
図４に示す携帯電話１０の動作は、主に第１制御部１１がＲＯＭ１５ｂに予め記憶されているプログラムに従って実行する。同様に、携帯型電子機器２０の動作は、主に第２制御部２１がＲＯＭ２７に予め記憶されているプログラムに従って実行する。
【００６１】
初めに、ユーザによって、携帯電話１０及び携帯型電子機器２０の電源がオンされ、互いに通信接続する操作を行なうと、ステップＳ１００において、携帯電話１０及び携帯型電子機器２０それぞれは、通信確認信号を送受信して通信接続を確立し、通信を開始する。
【００６２】
図５（ａ）に、携帯電話１０が待ち受け状態にある場合の携帯型電子機器２０の表示部２４の例を示す。この場合、携帯型電子機器２０は時刻表示状態にあり、表示部２４には、時刻及び日付と、時刻表示状態において携帯型電子機器２０を操作可能な操作情報が表示されている。
【００６３】
ここで表示部２４には、操作情報としては、携帯型電子機器２０の名称、Bluetooth（登録商標）アドレス又は製造番号等の個体情報を表示するための情報ボタンが操作ボタン２３ａであること、携帯型電子機器２０に通信可能に接続されている接続機器情報を表示するための接続機器ボタンが操作ボタン２３ｂであること、メール機能等の他の機能を選択する表示への切替操作のための表示変更ボタンが操作ボタン２３ｃであること、表示部２４にライトを照らすためのライトボタンが操作ボタン２３ｄであること、メニュー画面の表示への切替操作のためのメニューボタンが操作ボタン２３ｅであることが表示されている。
【００６４】
次に、ステップＳ１０１において、携帯電話１０が、通話のために他の携帯電話等からの呼出の着信を受けると、携帯電話１０は着信状態を開始する。携帯電話１０は、着信状態では、スピーカ１６ｂから着信音を出力する。
【００６５】
次に、ステップＳ１０２において、携帯電話１０は、着信状態であることを示す着信状態信号を第１送信部１２ａから携帯型電子機器２０に送信する。ここで、着信状態信号の送信と共に、発信元の登録名称及び電話番号等のデータも送信することが可能である。
【００６６】
次に、ステップＳ１０３において、携帯型電子機器２０は、携帯電話１０が送信した着信状態信号を第２受信部２２ｂにより受信する。
【００６７】
次に、ステップＳ１０４において、携帯型電子機器２０は、携帯電話１０の着信状態に対応した操作情報のみを表示部２４に表示する。
【００６８】
図５（ｂ）に、着信状態に対応した操作情報のみを表示する表示部２４の例を示す。表示部２４には、携帯電話１０が着信中である旨が表示される。表示部２４には、また発信元の登録名称及び電話番号も表示されている。
【００６９】
また、表示部２４には、着信状態にある携帯電話１０を無線通信により操作可能な操作情報として、通話機能により通話を開始する通話ボタンが操作ボタン２３ａであること、携帯電話１０のスピーカ１６ｂから発せられる着信音を消音又は低減（ミュート）するミュートボタンが操作ボタン２３ｂであること、着信を切断する切断ボタンが操作ボタン２３ｃであること、着信を一時的に保留する保留ボタンが操作ボタン２３ｅであることが表示されている。尚、表示部２４に表示はされていないが、操作ボタン２３ｄの押し下げにより、表示部２４をライトで照らすことも可能である。
【００７０】
また、携帯型電子機器２０は、上述したように着信状態に対応した操作情報のみを表示部２４に表示すると共に、振動発生部２８からバイブレーションを発生させ且つスピーカ２５からアラーム音を出力する。尚、マナーモード等を設定し、バイブレーションのみ発生させアラーム音を消すようにしても良い。
【００７１】
ユーザは、表示部２４に表示された着信状態における携帯電話１０の操作情報を参照し、操作部２３を用いて、入力操作を携帯型電子機器２０に入力する。図４の例では、ユーザは、ステップＳ１０５において、通話ボタンとしての操作ボタン２３ａを押し下げる。
【００７２】
次に、ステップＳ１０６において、携帯型電子機器２０は、着信操作信号としての通話開始信号を、第２送信部２２ａから携帯電話１０に送信する。
【００７３】
次に、ステップＳ１０７において、携帯電話１０は、携帯型電子機器２０が送信した通話開始信号を第１受信部１２ｂにより受信する。
【００７４】
次に、ステップＳ１０８において、携帯電話１０は、通話状態を開始する。ユーザは、携帯電話１０を取り出した後、マイク１６ａ及びスピーカ１６ｂを用いて、発信者との通話を開始する。
【００７５】
次に、ステップＳ１０９において、携帯電話１０は、通話機能を実行する通話状態であることを示す通話状態信号を、第１送信部１２ａから携帯型電子機器２０に送信する。
【００７６】
次に、ステップＳ１１０において、携帯型電子機器２０は、携帯電話１０が送信した通話状態信号を第２受信部２２ｂにより受信する。
【００７７】
次に、ステップＳ１１１において、携帯型電子機器２０は、携帯電話１０の通話状態に対応した操作情報のみを表示部２４に表示する。図６（ａ）に、通話状態に対応した操作情報のみを表示する表示部２４の例を示す。
【００７８】
表示部２４には、携帯電話１０が通話中であることが示されている。表示部２４には、操作情報として、通話を切断する切断ボタンが操作ボタン２３ｃであることが表示されている。また、表示部２４には、時刻も表示されている。携帯型電子機器２０は、操作ボタン２３ｃが押し下げられることにより、通話操作信号としての切断信号を携帯電話１０に送信する。
【００７９】
次に、ステップＳ１１２において、ユーザが、携帯電話１０による通話を終了する。携帯電話１０は、通話状態を終了して、待ち受け状態となる。
【００８０】
次に、ステップＳ１１３において、携帯電話１０は、通話状態終了信号を第１送信部１２ａから携帯型電子機器２０に送信する。
【００８１】
次に、ステップＳ１１４において、携帯型電子機器２０は、携帯電話１０が送信した通話状態終了信号を第２受信部２２ｂにより受信する。
【００８２】
然る後、ステップＳ１１５において、携帯型電子機器２０は時刻表示状態となる。時刻表示状態では、第２制御部２１は、図５（ａ）に示すように、現在の時刻及び日付等と共に、時刻表示状態で操作可能な操作情報のみを表示部２４に表示する。時刻表示状態は、操作部２３の入力操作に基づいて、第２制御部２１により制御される。
【００８３】
次に、本実施例の無線操作システム３０の動作の他の例を、図７に示すシーケンス図を参照して、以下に説明する。図７には、携帯電話１０に着信があり、ユーザが携帯型電子機器２０を用いて、携帯電話１０への着信を遠隔操作により保留する例が示されている。
【００８４】
図７において、ステップＳ２００からＳ２０４までの動作は、図４に示す例と同様であるので、ステップＳ２０５以降の動作を以下に説明する。
【００８５】
ステップＳ２０５において、ユーザは、保留ボタンとしての操作ボタン２３ｅを押し下げる。
【００８６】
次に、ステップＳ２０６において、携帯型電子機器２０は、着信操作信号としての保留開始信号を、第２送信部２２ａから携帯電話１０に送信する。
【００８７】
次に、ステップＳ２０７において、携帯電話１０は、携帯型電子機器２０が送信した保留開始信号を第１受信部１２ｂにより受信する。
【００８８】
次に、ステップＳ２０８において、携帯電話１０は、着信を一時的に保留する保留状態を開始する。この保留状態では、携帯電話１０は、発信者との通話を一度開始した後、通話を保留した状態にある。保留状態にある携帯電話１０は、発信者に対して、回線留保用の音声案内や音楽を送信しても良い。
【００８９】
次に、ステップＳ２０９において、携帯電話１０は、保留機能を実行する保留状態であることを示す保留状態信号を、第１送信部１２ａから携帯型電子機器２０に送信する。
【００９０】
次に、ステップＳ２１０において、携帯型電子機器２０は、携帯電話１０が送信した保留状態信号を第２受信部２２ｂにより受信する。
【００９１】
次に、ステップＳ２１１において、携帯型電子機器２０は、携帯電話１０の保留状態に対応した操作情報のみを表示部２４に表示する。図６（ｂ）に、保留状態に対応した操作情報のみを表示する表示部２４の例を示す。
【００９２】
表示部２４には、携帯電話１０が保留中であることが示されている。表示部２４には、操作情報として、通話を切断する切断ボタンが操作ボタン２３ｃであることが表示されている。携帯型電子機器２０は、操作ボタン２３ｃが押し下げられることにより、保留操作信号としての切断信号を携帯電話１０に送信する。
【００９３】
次に、ステップＳ２１２において、ユーザは、携帯電話１０の通話を切断して保留状態を終了する。携帯電話１０の通話の切断は、ユーザが、携帯型電子機器２０を用いて切断ボタンとしての操作ボタン２３ｃを押し下げることにより実行しても良い。又は、ユーザが携帯電話１０の操作部１３を操作して切断して保留状態を終了しても良いし、又は発信者が携帯電話１０への通信状態を切断することにより保留状態を終了しても良い。
【００９４】
次に、ステップＳ２１３において、携帯電話１０は、保留状態終了信号を第１送信部１２ａから携帯型電子機器２０に送信する。
【００９５】
次に、ステップＳ２１４において、携帯型電子機器２０は、携帯電話１０が送信した保留状態終了信号を第２受信部２２ｂにより受信する。
【００９６】
然る後、ステップＳ２１５において、携帯型電子機器２０は、時刻表示状態で操作可能な操作情報のみを表示部２４に表示して、時刻表示状態を制御する。
【００９７】
次に、本実施例の無線操作システム３０の動作のまた他の例を、図８に示すシーケンス図を参照して、以下に説明する。図８には、携帯電話１０に着信があり、ユーザが携帯型電子機器２０を用いて、携帯電話１０への着信を遠隔操作により切断する例が示されている。
【００９８】
図８において、ステップＳ３００からＳ３０４までの動作は、図４に示す例と同様であるので、ステップＳ３０５以降の動作を以下に説明する。
【００９９】
ステップＳ３０５において、ユーザは、切断ボタンとしての操作ボタン２３ｃを押し下げる。
【０１００】
次に、ステップＳ３０６において、携帯型電子機器２０は、着信操作信号としての切断信号を、第２送信部２２ａから携帯電話１０に送信する。
【０１０１】
次に、ステップＳ３０７において、携帯電話１０は、携帯型電子機器２０が送信した切断信号を第１受信部１２ｂにより受信する。
【０１０２】
次に、ステップＳ３０８において、携帯電話１０は、着信を切断し着信状態を終了して、待ち受け状態となる。
【０１０３】
次に、ステップＳ３０９において、携帯電話１０は、着信状態終了信号を第１送信部１２ａから携帯型電子機器２０に送信する。
【０１０４】
次に、ステップＳ３１０において、携帯型電子機器２０は、携帯電話１０が送信した着信状態終了信号を第２受信部２２ｂにより受信する。
【０１０５】
然る後、ステップＳ３１１において、携帯型電子機器２０は、時刻表示状態で操作可能な操作情報のみを表示部２４に表示して、時刻表示状態を制御する。
【０１０６】
次に、本実施例の無線操作システム３０の動作の更に他の例を、図９に示すシーケンス図を参照して、以下に説明する。図９には、携帯電話１０に着信があり、ユーザが携帯型電子機器２０を用いて、携帯電話１０の着信音を遠隔操作によりミュートする例が示されている。
【０１０７】
図９において、ステップＳ４００からＳ４０４までの動作は、図４に示す例と同様であるので、ステップＳ４０５以降の動作を以下に説明する。
【０１０８】
ステップＳ４０５において、ユーザは、ミュートボタンとしての操作ボタン２３ｂを押し下げる。
【０１０９】
次に、ステップＳ４０６において、携帯型電子機器２０は、着信操作信号としてのミュート信号を、第２送信部２２ａから携帯電話１０に送信する。
【０１１０】
次に、ステップＳ４０７において、携帯電話１０は、携帯型電子機器２０が送信したミュート信号を第１受信部１２ｂにより受信する。
【０１１１】
次に、ステップＳ４０８において、携帯電話１０は、着信音をミュートする。この例では、携帯電話１０は、着信音を停止する。
【０１１２】
次に、ステップＳ４０９において、ユーザは、携帯電話１０への着信を切断して着信状態を終了する。携帯電話１０への着信の切断は、ユーザが、携帯型電子機器２０を用いて切断ボタンとしての操作ボタン２３ｃを押し下げることにより実行しても良い。又は、ユーザが携帯電話１０の操作部１３を操作して切断して着信状態を終了しても良いし、又は発信者が携帯電話１０への通信状態を切断することにより着信状態を終了しても良い。
【０１１３】
次に、ステップＳ４１０において、携帯電話１０は、着信状態終了信号を第１送信部１２ａから携帯型電子機器２０に送信する。
【０１１４】
次に、ステップＳ４１１において、携帯型電子機器２０は、携帯電話１０が送信した着信状態終了信号を第２受信部２２ｂにより受信する。
【０１１５】
然る後、ステップＳ４１２において、携帯型電子機器２０は、時刻表示状態で操作可能な操作情報のみを表示部２４に表示して、時刻表示状態を制御する。
【０１１６】
次に、本実施例の無線操作システム３０の動作の更にまた他の例を、図１０に示すシーケンス図を参照して、以下に説明する。図１０には、携帯電話１０のアラーム機能により所定の時刻が通知され、ユーザが携帯型電子機器２０を用いて、携帯電話１０のアラーム音を遠隔操作によりミュート（消音）する例が示されている。
【０１１７】
図９において、ステップＳ５００の動作は、図４に示す例と同様であるので、ステップＳ５０１以降の動作を以下に説明する。
【０１１８】
ステップＳ５０１において、携帯電話１０は、アラーム機能により所定の時刻になったことを通知するアラーム状態を開始する。携帯電話１０は、スピーカ１６ｂからアラーム音を出力する。
【０１１９】
次に、ステップＳ５０２において、携帯電話１０は、アラーム状態信号を第１送信部１２ａから携帯型電子機器２０に送信する。
【０１２０】
次に、ステップＳ５０３において、携帯型電子機器２０は、携帯電話１０が送信したアラーム状態信号を第２受信部２２ｂにより受信する。
【０１２１】
次に、ステップＳ５０４において、携帯型電子機器２０は、携帯電話１０のアラーム状態に対応した操作情報のみを表示部２４に表示する。
【０１２２】
図１１に、アラーム状態に対応した操作情報のみを表示する表示部２４の例を示す。表示部２４には、携帯電話１０がアラーム通知中である旨が表示される。表示部２４には、またアラーム機能に設定された時刻も表示されている。
【０１２３】
表示部２４には、操作情報として、アラーム音をミュートするミュートボタンが操作ボタン２３ｂ、２３ｅであることが表示されている。尚、操作ボタン２３ａ、２３ｃにも、ミュートボタンを割り当てても良い。
【０１２４】
また、携帯型電子機器２０は、上述したようにアラーム状態に対応した操作情報のみを表示部２４に表示すると共に、振動発生部２８からバイブレーションを発生させ且つスピーカ２５からアラーム音を出力する。尚、マナーモード等を設定し、バイブレーションのみ発生させアラーム音を消すようにしても良い。
【０１２５】
次に、ステップＳ５０５において、ユーザは、ミュートボタンとしての操作ボタン２３ｂ又は２３ｅを押し下げる。
【０１２６】
次に、ステップＳ５０６において、携帯型電子機器２０は、アラーム操作信号としてのミュート信号を、第２送信部２２ａから携帯電話１０に送信する。
【０１２７】
次に、ステップＳ５０７において、携帯電話１０は、携帯型電子機器２０が送信したミュート信号を第１受信部１２ｂにより受信する。
【０１２８】
次に、ステップＳ５０８において、携帯電話１０は、アラーム音をミュートして、アラーム状態を終了し、待ち受け状態となる。
【０１２９】
次に、ステップＳ５０９において、携帯電話１０は、アラーム状態終了信号を第１送信部１２ａから携帯型電子機器２０に送信する。
【０１３０】
次に、ステップＳ５１０において、携帯型電子機器２０は、携帯電話１０が送信したアラーム状態終了信号を第２受信部２２ｂにより受信する。
【０１３１】
然る後、ステップＳ５１１において、携帯型電子機器２０は、時刻表示状態で操作可能な操作情報のみを表示部２４に表示して、時刻表示状態を制御する。
【０１３２】
最後に、本実施例の無線操作システム３０の動作のまた他の例を、図１２に示すシーケンス図を参照して、以下に説明する。図１２には、携帯電話１０のカメラ機能を実行するカメラ状態において、ユーザが携帯型電子機器２０を用いて、携帯電話１０を遠隔操作してカメラ撮影する例が示されている。
【０１３３】
図１２において、ステップＳ６００の動作は、図４に示す例と同様であるので、ステップＳ６０１以降の動作を以下に説明する。
【０１３４】
ステップＳ６０１において、携帯電話１０は、カメラ機能を実行するカメラ状態を開始する。
【０１３５】
次に、ステップＳ６０２において、携帯電話１０は、カメラ状態信号を第１送信部１２ａから携帯型電子機器２０に送信する。
【０１３６】
次に、ステップＳ６０３において、携帯型電子機器２０は、携帯電話１０が送信したカメラ状態信号を第２受信部２２ｂにより受信する。
【０１３７】
次に、ステップＳ６０４において、携帯型電子機器２０は、携帯電話１０のカメラ状態に対応した操作情報のみを表示部２４に表示する。
【０１３８】
図１３に、カメラ状態に対応した操作情報のみを表示する表示部２４の例を示す。表示部２４には、携帯電話１０がカメラ状態である旨が表示される。
【０１３９】
表示部２４には、操作情報として、カメラ撮影するためのリモートシャッターボタンが操作ボタン２３ｂ、２３ｅであることが表示されている。また、カメラ撮影する前に事前に、撮影対象に焦点を自動的に合わせるオートフォーカスボタンが操作ボタン２３ａ、２３ｃであることが表示されている。通常のカメラ撮影では、リモートシャッターボタンが押し下げられた後に、撮影対象に焦点が自動的に合わされて撮影される。一方、このオートフォーカスボタンを押すことにより、撮影前に撮影対象に自動的に焦点を合わすことができるので、リモートシャッターボタンが押し下げられると、焦点を合わせることなく即座にカメラ撮影がなされるため、シャッターチャンスを逃すことなくカメラ撮影が行える。また、表示部２４には、時刻も表示されている。
【０１４０】
このように、ユーザは、携帯型電子機器２０を用いて、携帯電話１０のカメラ機能を無線通信により遠隔操作することができる。例えば、ユーザは、本実施例の無線操作システム３０を用いて、該ユーザを含む集合写真等をカメラ撮影することができる。
【０１４１】
次に、ステップＳ６０５において、ユーザは、リモートシャッターボタンとしての操作ボタン２３ｂ又は２３ｅを押し下げる。
【０１４２】
次に、ステップＳ６０６において、携帯型電子機器２０は、カメラ操作信号としてのシャッター操作信号を、第２送信部２２ａから携帯電話１０に送信する。
【０１４３】
次に、ステップＳ６０７において、携帯電話１０は、携帯型電子機器２０が送信したシャッター操作信号を第１受信部１２ｂにより受信する。
【０１４４】
次に、ステップＳ６０８において、携帯電話１０は、カメラ機能によりカメラ撮影を実行する。ユーザは、本実施例の無線操作システム３０を用いて、必要な回数のカメラ撮影を行う。また、ユーザは、オートフォーカスボタンを押し下げて、撮影対象に焦点を自動的に合わせた後、リモートシャッターボタンを押し下げても良い。
【０１４５】
次に、ステップＳ６０９において、ユーザは、必要なカメラ撮影を終えた後、携帯電話１０のカメラ状態を終了する。
【０１４６】
次に、ステップＳ６１０において、携帯電話１０は、カメラ状態終了信号を第１送信部１２ａから携帯型電子機器２０に送信する。
【０１４７】
次に、ステップＳ６１１において、携帯型電子機器２０は、携帯電話１０が送信したカメラ状態終了信号を第２受信部２２ｂにより受信する。
【０１４８】
然る後、ステップＳ６１２において、携帯型電子機器２０は、時刻表示状態で操作可能な操作情報のみを表示部２４に表示して、時刻表示状態を制御する。
【０１４９】
このように、携帯電話１０が、携帯型電子機器２０によって無線操作可能な複数の無線操作状態を有しており、携帯電話１０が各無線操作状態のいずれかに切り替わったことに応じて、携帯型電子機器２０も、携帯電話１０の状態に追従して対応する操作状態に切り替わるので、操作性に優れている。
また、携帯型電子機器２０は、各無線操作状態にある携帯電話１０を操作するための複数の操作信号のうち、携帯電話１０の状態に応じて、携帯電話１０を操作することができる操作信号だけが送信可能な状態に第２制御部２１によって制御されているので、不要な操作信号が送信されず、無駄に消費電力を消費することはない。例えば、携帯電話１０が図１１に示すアラーム状態のときには、携帯型電子機器２０は、アラーム状態にある携帯電話１０を操作可能な操作信号であるミュート信号だけが送信可能であり、アラーム状態にある携帯電話１０を操作可能ではない操作信号であるシャッター操作信号や、保留開始信号等は送信されない状態に制御されている。同様に、携帯電話１０が図１３に示すカメラ状態のときには、携帯型電子機器２０は、カメラ状態にある携帯電話１０を操作可能な操作信号であるシャッター操作信号と、オートフォーカス信号だけが送信可能である。このように、本実施例では、携帯型電子機器２０は、携帯電話１０の各無線操作状態に対応して、操作可能な操作信号だけが送信可能に制御されている。
また、上述した本実施例の無線操作システム３０によれば、携帯型電子機器２０は、表示部２４に、携帯電話１０の操作を行うための操作情報として、携帯電話１０の現在の状態を無線通信により操作可能な操作情報のみを表示するので、ユーザは必要な操作情報のみを参照できる。また、ユーザは、携帯型電子機器２０の表示部２４に表示された操作情報に基づいて、操作部２３の操作ボタンを操作することにより、携帯電話１０の全ての複数の状態それぞれを無線通信により遠隔操作できるので、携帯型電子機器２０は操作性に優れている。
【０１５０】
また、携帯型電子機器２０は、限られた数の操作部２３の操作ボタンを用いて、携帯電話１０の全ての複数の状態それぞれを無線通信により、操作性良く遠隔操作できる。
【０１５１】
本発明の無線操作システム又は携帯型電子機器は、上述した実施形態又は実施例に制限されることなく、本発明の趣旨を逸脱しない限り適宜変更が可能である。
【０１５２】
例えば、上記の例では、上記第１の機器が携帯電話１０であり、上記第２の機器が携帯型電子機器２０であったが、上記第１の機器は、複数の機能を実行する状態を有する電子機器であり、上記第２の機器は、無線通信により上記第１の機器を操作する携帯型電子機器であれば、それぞれ、他の電子機器であっても良い。
また、上記の例では、携帯型電子機器２０は、携帯電話１０がカメラ状態の場合に操作ボタン２３ａを操作すると、シャッター操作信号を送信し、携帯電話１０がアラーム状態の場合に操作ボタン２３ａを操作すると、ミュート信号を送信したように、携帯電話１０の状態に応じて異なる操作信号を送信したが、上記第２の発明の無線操作システムにおいては、カメラ状態及びアラーム状態のいずれの場合にも、操作ボタン２３ｂを操作したときに、そのことを示す、ボタンｂ操作信号を送信しても携帯電話１０が同様の動作を行うように構成することができる。例えば、携帯電話１０側で、カメラ状態のときにボタンｂ操作信号を受信したら、カメラ撮影動作を行い、アラーム状態のときにボタンｂ操作信号を受信したら、アラーム状態を終了させるように第１制御部１１が制御するように構成すればよい。この場合も、携帯型電子機器２０から送信されるボタンｂ操作信号は、カメラ状態にある携帯電話１０や、アラーム状態にある携帯電話１０を操作する操作信号であることに変わりはなく、携帯型電子機器２０の表示部２４に、図１１や図１３のような、アラーム状態やカメラ状態に対応した表示をすることにより、使用者は、ミュート信号やシャッター操作信号が送信されている場合と同様に操作を行うことができる。携帯型電子機器２０における他の操作ボタンや、操作信号も同様である。
【０１５３】
また、上記の例では、携帯電話１０は、着信状態、通話状態、保留状態、カメラ状態又はアラーム状態を有していたが、携帯電話１０は、メールの送受信を実行するメール状態、配信されるニュースを受信するニュース受信状態等の他の機能を実行する状態を有しても良い。これら携帯電話１０が有する状態それぞれは、携帯型電子機器２０により、無線通信を用いて遠隔操作されることが好ましい。
【図面の簡単な説明】
【０１５４】
【図１】本発明に係る無線操作システムの一実施形態の構成図である。
【図２】図１の各構成要素のブロック図である。
【図３】図２の実施形態を用いた一実施例を説明するブロック図である。
【図４】図３の実施例の動作の一例を説明するシーケンス図である。
【図５】図３の動作例における携帯型電子機器の表示部を示す図である。
【図６】（ａ）は、図４の動作例における携帯型電子機器の表示部の他の表示例を示しており、（ｂ）は、図７の動作例における携帯型電子機器の表示部の表示例を示す図である。
【図７】図３の実施例の動作の他の一例を説明するシーケンス図である。
【図８】図３の実施例の動作のまた他の一例を説明するシーケンス図である。
【図９】図３の実施例の動作の更に他の一例を説明するシーケンス図である。
【図１０】図３の実施例の動作の更にまた他の一例を説明するシーケンス図である。
【図１１】図１０の動作例における携帯型電子機器の表示部の表示例を示す図である。
【図１２】図３の実施例の動作のまた他の一例を説明するシーケンス図である。
【図１３】図１２の動作例における携帯型電子機器の表示部の表示例を示す図である。
【符号の説明】
【０１５５】
３０    無線操作システム
１０    携帯電話（第１の機器）
１１    第１制御部（状態制御手段）
１２    第１無線部
１２ａ    第１送信部
１２ｂ    第１受信部
１２ｃ    第１アンテナ
１３    操作部
１４    表示部
１５ａ    ＲＡＭ
１５ｂ    ＲＯＭ
１６ａ    マイク
１６ｂ    スピーカ
１７    カメラ部
１８    計時部
１９    第３無線部
１９ａ    第３アンテナ
２０    携帯型電子機器（第２の機器）
２１    第１制御部（制御手段）
２２    第２無線部
２２ａ    第２送信部
２２ｂ    第２受信部
２２ｃ    第２アンテナ
２３    操作部（操作手段）
２３ａ、２３ｂ、２３ｃ、２３ｄ、２３ｅ    操作ボタン
２４    表示部（表示手段）
２５    スピーカ
２６    ＲＡＭ
２７    ＲＯＭ
２８    振動発生部
２９    計時部
【図１】
0005173353.tif 000002
【図２】
0005173353.tif 000003
【図３】
0005173353.tif 000004
【図４】
0005173353.tif 000005
【図５】
0005173353.tif 000006
【図６】
0005173353.tif 000007
【図７】
0005173353.tif 000008
【図８】
0005173353.tif 000009
【図９】
0005173353.tif 000010
【図１０】
0005173353.tif 000011
【図１１】
0005173353.tif 000012
【図１２】
0005173353.tif 000013
【図１３】
0005173353.tif 000014